(57)【要約】【課題】小型高密度実装による光コネクタ用アダプタにおいて、解除レバー操作用のスライダの位置よりも後方のコード側での操作で、光プラグの挿抜操作、特に挿入操作が容易に行えるようにする。【解決手段】スライダ１３を後方のコードＫ側でプッシュプル操作可能とするよう当該スライダ１３に着脱可能に装着する操作用タブ１７を備える。操作用タブ１７は、スライダ１３後部の上部中央に形成した係合突起３３に着脱可能に装着して当該スライダ１３を挿抜操作可能とするようセット穴１８を備えた係合片２４と、スライダ１３後部の左右対称部位に形成した突き当て部３４ａ、３４ｂに当接して当該スライダ１３を押込み操作する押当部２３とを備える。押当部２３と突き当て部３４ａ、３４ｂの当接面は互いに垂直な平坦面に形成される。【選択図】図２
2015200771.tif 000002
【特許請求の範囲】
【請求項１】
プラグ本体の長手方向の上面に前方から後方に向かって形成され、アダプタと脱着自在に係合する解除レバーと、プラグ本体の両側面における前側に設けた一方のストッパおよび後側に所定の間隔を置いて設けた他方のストッパの両ストッパによってプラグ本体の軸方向の規制範囲に移動可能に装着され、前部に前記解除レバーの解除片に押圧可能に係合するテーパー面を設けたスライダとを備え、該スライダ後部の上部中央には係合突起が、スライダ後部の左右位置には突き当て部が各突設されて成り、一方前記スライダ後部中央の係合突起に着脱可能に装着されるセット穴を先端に有する係合片と、前記スライダ後部両側の突き当て部に後方から当接する押当部を各設けた操作用タブを具備して成ることを特徴とするＬＣ型光コネクタプラグ。
【請求項２】
前記スライダ後部の左右位置に突設された突き当て部は、その先端面が垂直な平坦面に各形成されていることを特徴とする請求項１記載のＬＣ型光コネクタプラグ。
【請求項３】
前記操作用タブの前部に設けられた押当部は、その前端が前記スライダ後部の突き当て部先端に垂直な密着状態で当接するよう垂直な平坦面に形成されていることを特徴とする請求項１または２記載のＬＣ型光コネクタプラグ。
【発明の詳細な説明】
【技術分野】
【０００１】
本発明は、光ファイバを接続するときに用いられる解除レバー付のＬＣ型光コネクタプラグに係り、解除レバー移動操作用のスライダを操作するための操作用タブを使ったプッシュプル方式により、アダプタに対する装着および抜脱の操作性を向上させたＬＣ型光コネクタプラグに関する。
【背景技術】
【０００２】
従来、この種のＬＣ型光コネクタプラグは、そのプラグハウジングの外周面に、アダプタとの係合およびその解除を行うためのラッチが一体的に設けられている。このラッチは、プラグハウジングの先端部から後端部に向かって徐々にプラグハウジング外表面から離れるように傾斜して延設されている。このＬＣ型光コネクタプラグがアダプタに装着されている場合、当該アダプタの後端にラッチが僅かに突出する。そして、アダプタからＬＣ型光コネクタプラグを抜脱する際には、このラッチを指先で直接押し下げて係合を解除する。
【０００３】
近年においては、本件出願人による先願である特許文献１に示すように、光コネクタの高密度実装が求められることから、エクステンダーキャップ側において、ラッチの後端部にスライダを係合させ、アダプタからの抜脱時に、このスライダを介してラッチを押し下げてアダプタに対する係合を解除する小型のＬＣ型光コネクタプラグが提案されている。
【０００４】
すなわち、特許文献１に示す光コネクタプラグでは、アダプタと係合するための略中央に係止片を備え、且つ後端部に解除片を備えて成る解除レバーがプラグ本体の長手方向の上面に前方から後方に向かって形成されており、プラグ本体の両側面における前側に設けた一方のストッパおよび後側に所定の間隔を置いて設けた他方のストッパの両ストッパによってプラグ本体の軸方向の規制範囲に移動可能にスライダが装着されている。
【０００５】
そして、このスライダは解除レバーの解除片に押圧可能に係合するテーパー面を有し、さらにスライダの後方端の少なくとも上下いずれかには、操作時に把持するための凸形状の操作部を備え、この操作部にはスライダを後方のコード側で操作可能とする薄板状の引抜操作用タブ先端のセット穴が装着され、当該引抜操作用タブを指先で操作するだけで、スライダの後方向への移動がスムーズに行えるように構成されている。
【０００６】
特許文献１に示す光コネクタプラグでは、上記した構成によって、前記解除レバーがプラグ本体のアダプタへの装着時に係止片と共にアダプタのガイドによって下方へ変位し、当該係止片と前記アダプタが係合する。そして、アダプタからの抜脱時に前記スライダに装着された前記引抜操作用タブを介して当該スライダを抜脱方向に移動させることでスライダのテーパー面で解除レバーの解除片を押し下げ、係止片とアダプタの係合が解除され、その後、前記プラグ本体の後側に設けた他方のストッパに移動が規制され、スライダがアダプタから抜脱されると同時に解除レバーの弾性力によりプラグ本体および解除レバーは初期位置に復帰するものとしている。
【先行技術文献】
【特許文献】
【０００７】
【特許文献１】特許第５１５４９８５号公報
【発明の概要】
【発明が解決しようとする課題】
【０００８】
しかしながら、上記した特許文献１の場合では、引抜操作用タブの引き抜き操作によってスライダを抜脱方向に移動させ、スライダのテーパー面で解除レバーの解除片を押し下げ、係止片とアダプタの係合を解除させることでアダプタからプラグ本体を抜脱させることができるが、プラグ本体のアダプタへの装着時においては、薄板から成る引抜操作用タブの押し込み作業の際、当該引抜操作用タブのセット穴内縁でスライダ後端の凸形状の操作部のみを押圧するだけであるからアダプタに対して光コネクタプラグ全体を円滑且つ確実に挿入させることは困難である。
【０００９】
このような事情からスライダの後方端の操作部を直接手で把持してアダプタへ装着するとなるが、プラグ単体を手に持ったとき、ブーツやケーブル等に手指が当たり、アダプタ挿入口までプラグを持って行きにくいことになり、小型高密度実装による光コネクタプラグの装着時における操作性が著しく低下するという問題がある。
【００１０】
そこで、本発明は、叙上のような従来存した諸事情に鑑み案出されたもので、小型高密度実装による光コネクタ用アダプタにおいて、解除レバー操作用のスライダの位置よりも後方のコード側での操作で、光プラグの装抜操作、特に装着時における押し込み操作が容易に行えるものとなるＬＣ型光コネクタプラグを提供することを目的とする。
【課題を解決するための手段】
【００１１】
上述した課題を解決するために、本発明にあっては、プラグ本体の長手方向の上面に前方から後方に向かって形成され、アダプタと脱着自在に係合する解除レバーと、プラグ本体の両側面における前側に設けた一方のストッパおよび後側に所定の間隔を置いて設けた他方のストッパの両ストッパによってプラグ本体の軸方向の規制範囲に移動可能に装着され、前部に前記解除レバーの解除片に押圧可能に係合するテーパー面を設けたスライダとを備え、該スライダ後部の上部中央には係合突起が、スライダ後部の左右位置には突き当て部が各突設されて成り、一方前記スライダ後部中央の係合突起に着脱可能に装着されるセット穴を先端に有する係合片と、前記スライダ後部両側の突き当て部に後方から当接する押当部を各設けた操作用タブを具備して成ることを特徴としている。
【００１２】
前記スライダ後部の左右位置に突設された突き当て部は、その先端面が垂直な平坦面に各形成されていることを特徴とする。
【００１３】
前記操作用タブの前部に設けられた押当部は、その前端が前記スライダ後部の突き当て部先端に垂直な密着状態で当接するよう垂直な平坦面に形成されていることを特徴とする。
【発明の効果】
【００１４】
本発明によれば、小型高密度実装による光コネクタ用アダプタにおいて、解除レバー操作用のスライダの位置よりも後方のコード側での操作で、光プラグの挿抜操作、特に挿入操作が容易に行えるものとなる。
【００１５】
すなわち、本発明では、プラグ本体の長手方向の上面に前方から後方に向かって形成され、アダプタと脱着自在に係合する解除レバーと、プラグ本体の両側面における前側に設けた一方のストッパおよび後側に所定の間隔を置いて設けた他方のストッパの両ストッパによってプラグ本体の軸方向の規制範囲に移動可能に装着され、前部に前記解除レバーの解除片に押圧可能に係合するテーパー面を各設けたスライダとを備え、該スライダ後部の上部中央には係合突起が、スライダ後部の左右位置には突き当て部が各突設されて成り、一方前記スライダ後部中央の係合突起に着脱可能に装着されるセット穴を先端に有する係合片と、前記スライダ後部両側の突き当て部に後方から当接する押当部を各設けた操作用タブを具備して成るので、操作用タブをプッシュプル操作するだけでスライダの前後方向への移動がスムーズに行えるものとなり、スライダを介しての解除レバーの押下げおよび解放操作が容易に行える。従って、小型高密度実装によるＬＣ型光コネクタプラグであってもその操作性が著しく向上するものとなる。また、操作用タブ先端に備えた係合片のセット穴により、スライダの係合突起に対する操作用タブの取付けまたは取外しが容易に行える。
【００１６】
また、スライダ後部の左右位置に設けられた突き当て面と、操作用タブの押当部とは各垂直な平坦面に形成されているので、操作用タブによる光プラグの装着の際、両者の接触面は互いに垂直状態で密着するためスライダ前方への移動がスムーズに行え、光プラグ装着時の操作性が従来品と比べて格段に向上する。
【図面の簡単な説明】
【００１７】
【図１】本発明を実施するための一形態を示すＬＣ型光コネクタプラグの分解斜視図である。
【図２】同じく組立後のＬＣ型光コネクタプラグの斜視図である。
【図３】プッシュプル方式による操作用タブの一例を示す斜視図である。
【図４】同じく操作用タブの詳細形状を示すもので、（ａ）は平面図、（ｂ）は側面図、（ｃ）は底面図、（ｄ）は正面図、（ｅ）は背面図である。
【図５．１】操作用タブを介してのＬＣ型光コネクタプラグのアダプタに対する装着および抜脱の動作手順の一例を説明するものであり、図中（ａ）乃至（ｃ）はアダプタに対するＬＣ型光コネクタプラグの装着の手順を断面図で示した説明図である。
【図５．２】図中（ｄ）乃至（ｆ）はアダプタに対するＬＣ型光コネクタプラグの抜脱の手順を断面図で示した説明図である。
【発明を実施するための形態】
【００１８】
以下、図面を参照して本発明に係るＬＣ型光コネクタプラグを実施するための最良の一形態について詳細に説明する。
【００１９】
本発明に係るＬＣ型光コネクタプラグ１（以下にプラグ本体１と略称する）は、図１に示すように、比較的高強度なプラスチックから成る角筒状のカップリングスリーブ２と、このカップリングスリーブ２内にフェルール用チューブ３およびフェルールフレーム４と一体のフェルール５と、フェルールフレーム４の後端部外周に装着されるスプリング６と、このスプリング６を介してフェルールフレーム４の後端部側に嵌合するプラスチック製のエクステンダーキャップ７とを具備する。
【００２０】
プラグ本体１を組み立てる場合には、図１に示すように、このカップリングスリーブ２に、フェルール５、スプリング６、エクステンダーキャップ７それぞれを順次挿入し、エクステンダーキャップ７の係止爪をカップリングスリーブ２の係止穴に係合することによってエクステンダーキャップ７がカップリングスリーブ２に固定され、フェルール５はカップリングスリーブ２内にスプリング６を介して軸方向前方に付勢保持される。また、エクステンダーキャップ７の後方には、光ファイバを保護して変形による断線等を防止するためのカシメリング８を備えた熱収縮チューブ９と、この熱収縮チューブ９にコードＫ先端側（図５参照）を接続させるためのブーツ１０とが取り付けられる。
【００２１】
また、図１に示すように、カップリングスリーブ２の外周面には、アダプタＰとの係合およびその解除を行うための、幅方向両側面の略中央に係止片１２を備え、且つ後端の左右対称位置に軸方向に対して横向きに突出した一対の解除片１１ａを備えた解除レバー１１がカップリングスリーブ２上部に一体的に設けられている。なお、アダプタＰのプラグ挿入孔には、内側に向けて段差を有するガイド（図示省略）が形成されており、このガイドの段差に前記係止片１２が係入されることで、プラグ本体１（係止片１２）とアダプタＰが係合可能となっている。
【００２２】
この解除レバー１１は、プラグ本体１のカップリングスリーブ２の長手方向の一面において、先端部から後端部に向かって徐々にカップリングスリーブ２外表面から離れるように傾斜して延設されており、その後端部の左右一対の解除片１１ａは、後述するようにスライダ１３の開口部１３ｂ内側の左右対称位置にあるテーパー面１３ａに当接するよう当該テーパー面１３ａとは相補的な関係となっている。
【００２３】
また、エクステンダーキャップ７の外周面には角筒ハウジング状のスライダ１３が装着され、図１および図２に示すように、エクステンダーキャップ７の両側面における前側に設けたストッパ１４ａと後側に所定の間隔を置いて設けたストッパ１４ｂとによって当該スライダ１３の軸方向移動が規制されている。
【００２４】
このスライダ１３は、図１、図２、図５（ａ）乃至（ｆ）に示すように、エクステンダーキャップ７の上面に長手方向に設けられた左右一対のガイドレール３１に、角筒ハウジング状のスライダ１３の角孔１５内上壁面に上向凹状となって形成されている左右一対のガイド凹部３２が係合された状態となってストッパ１４ａとストッパ１４ｂとの間でスライドできるようになっている。
【００２５】
また、スライダ１３の上面の前端側が若干前方に向けて突出され、この突出した内側がエクステンダーキャップ７の上側において、解除レバー１１が軸方向に対して略直角方向に変位可能とする空間を形成すべく略コ字形アーチ状となった開口部１３ｂが前後方向に貫設され、該開口部１３ｂ内側の左右対称部分はエクステンダーキャップ７先端側に向けて傾斜したテーパー面１３ａとなっている。このテーパー面１３ａに前記解除レバー１１の傾斜した後端部における左右一対の解除片１１ａが係合される（図５参照）。
【００２６】
また、図１、図２、図５に示すように、スライダ１３の上面の後端側、すなわち前記開口部１３ｂの後側中央が若干前方に向けて凹状に切欠されており、この切欠されている箇所において、すなわちスライダ１３後部中央に係合突起３３が上方に向けて突出された状態となって露出している。さらに、スライダ１３の上面の後端側の左右対称部位は各段部３５ａ，３５ｂを介して後方に向けて突出した突き当て部３４ａ、３４ｂが各突設されている。
【００２７】
一方、前記スライダ１３を後方のコードＫ側でプッシュプル操作可能とするよう当該スライダ１３に長尺ブロック状の操作用タブ１７を装着可能にしてあり、この操作用タブ１７を前後方向に移動させることでスライダ１３が連動して前後方向に移動するようにしてある。
【００２８】
すなわち、図１、図２、図３、図４に示すように、操作用タブ１７の長手方向後端部には、手で持って操作可能とするよう側面にローレット目を形成した平面視略長円形状の把持部２１を備え、操作用タブ１７の長手方向前部には、前記スライダ１３の左右一対の突き当て部３４ａ、３４ｂそれぞれの先端に同時に当接可能となる程度に幅広となって形成された押当部２３を備えている。この押当部２３は、図３および図４（ｄ）に示すように、正面視で略下向きコ字状に形成され、操作用タブ１７の下面は、ブーツ１０の外形に略対応すべく正面視で略円弧状に凹設されている。
【００２９】
前記スライダ１３後部の左右位置に突設された突き当て部３４ａ、３４ｂは、その先端が垂直な平坦面に各形成されている。一方、前記操作用タブ１７前部に設けられた押当部２３前端も、前記突き当て部３４ａ、３４ｂ先端に垂直な密着状態で当接するよう垂直な平坦面に形成されている。
【００３０】
また、前記押当部２３の前端には、前記スライダ１３の前記左右一対の突き当て部３４ａ、３４ｂそれぞれの中間上面に位置する係合突起３３に係合させるための中央にセット穴１８を形成した幅狭で且つ肉薄な帯板状の係合片２４を備えている。なお、セット穴１８から押当部２３にかけてスリット部２０が形成されている。この係合片２４の横幅は、前記左右一対の突き当て部突起３４ａ、３４ｂ相互間の間隔幅に略対応している。
【００３１】
こうして、操作用タブ１７の前記把持部２１側がスライダ１３の後方のコードＫ側に配されるものとなり、この把持部２１を手で持って押込み操作することで操作用タブ１７の押当部２３先端がスライダ１３後端の突き当て部３４ａ、３４ｂを押圧して、スライダ１３を前側のストッパ１４ａによって係止される位置まで前方に移動させ、一方、この把持部２１を手で持って引抜き操作することで係合片２４がスライダ１３の係合突起３３を牽引し、当該スライダ１３を後側のストッパ１４ａによって係止される位置まで後方に移動させる。
【００３２】
次に、以上のように構成された本発明の最良の形態についての使用の一例について詳細に説明する。
【００３３】
先ず、スライダ１３の後端上面中央に設けられた係合突起３３に、操作用タブ１７の係合片２４のセット穴１８を装着する。このとき、操作用タブ１７前部に設けられた押当部２３は、スライダ１３後端に突設された左右一対の突き当て部３４ａ、３４ｂ相互に当接される。
【００３４】
プラグ本体１のアダプタＰへの装着時には、図５（ａ）乃至（ｃ）に示すように、操作用タブ１７の把持部２１を指先で持ってアダプタＰ装着方向に押込み移動する。このとき、スライダ１３はストッパ１４ａによって移動が規制され、アダプタＰ内にプラグ本体１が移動する。これと同時に、解除レバー１１は係止片１２と共にアダプタＰのプラグ挿入孔のガイドによって押圧され、当該係止片１２と共に下方へ変位しながら装着される。そして、アダプタＰのスリーブホルダＨにプラグ本体１のフェルール５先端が嵌合すると同時にアダプタＰのガイド奥側に上方に向けて形成されている段差に係止片１２が弾性的に係止されることで、プラグ本体１（係止片１２）とアダプタＰが係合される。
【００３５】
而して、操作用タブ１７前部には押当部２３が設けられると共に、スライダ１３後端には左右一対の突き当て部３４ａ、３４ｂが設けられており、且つ押当部２３と突き当て部３４ａ、３４ｂの当接面は互いに垂直状態で密着するよう垂直な平坦面に各成形されているので、操作用タブ１７によるスライダ１３の押し込み移動がスムーズに行なえる。
【００３６】
一方、プラグ本体１のアダプタＰからの抜脱時には、図５（ｄ）乃至（ｆ）に示すように、操作用タブ１７の把持部２１を指先で持ってアダプタＰから抜脱方向に引抜き移動することでスライダ１３は連動して同じ抜脱方向に移動される。このとき、スライダ１３のテーパー面１３ａで解除レバー１１の後端部における解除片１１ａが押し下げられることで、係止片１２とアダプタＰの係合が解除され、アダプタＰからのプラグ本体１の抜脱が可能となる（図５（ｄ）および（ｅ）参照）。さらに、スライダ１３を抜脱方向に移動すると後側のストッパ１４ｂに移動が規制され、スライダ１３がアダプタＰから抜脱されると同時に解除レバー１１の弾性力によりプラグ本体１および解除レバー１１は初期位置に復帰する（図５（ｆ）参照）。
【符号の説明】
【００３７】
Ｐ              アダプタ
Ｋ              コード
Ｈ              スリーブホルダ
１              プラグ本体
２              カップリングスリーブ
３              フェルール用チューブ
４              フェルールフレーム
５              フェルール
６              スプリング
７              エクステンダーキャップ
８              カシメリング
９              熱収縮チューブ
１０            ブーツ
１１            解除レバー
１１ａ          解除片
１２            係止片
１３            スライダ
１３ａ          テーパー面
１３ｂ          開口部
１４ａ          前側のストッパ
１４ｂ          後側のストッパ
１５            角孔
１７            操作用タブ
１８            セット穴
２０            スリット部
２１            把持部
２３            押当部
２４            係合片
３１            ガイドレール
３２            ガイド凹部
３３            係合突起
３４ａ、３４ｂ  突き当て部
３５ａ、３５ｂ  段部
【図１】
2015200771.tif 000003
【図２】
2015200771.tif 000004
【図３】
2015200771.tif 000005
【図４】
2015200771.tif 000006
【図５．１】
2015200771.tif 000007
【図５．２】
2015200771.tif 000008